【手続補正書】
【提出日】平成27年12月1日(2015.12.1)
【手続補正１】
【補正対象書類名】特許請求の範囲
【補正対象項目名】全文
【補正方法】変更
【補正の内容】
【特許請求の範囲】
【請求項１】
伸縮式ポールアセンブリであって、
第１のシャフト部と、
前記第１のシャフト部に伸縮式に受け取られる第２のシャフト部と、
前記第２のシャフト部を伸長位置に選択的にロックするロック機構と、
前記第１及び第２のシャフト部が前記伸長位置に移動する際に前記第１のシャフト部が前記第２のシャフト部から軸方向の上方に摺動し続けるのを防ぐ拡張アセンブリとを備え、
前記第２のシャフト部は、前記第１及び第２のシャフト部が前記伸長位置と収縮位置の間で移動可能とされるよう構成され、
前記ロック機構は、伸長位置と退避位置との間に可動に配置されるとともに前記第２のシャフト部を前記伸長位置に固定するために前記第２のシャフト部と係合可能とされる戻り止め部材を備え、
前記拡張アセンブリは、前記第１及び第２のシャフト部を前記収縮位置に移動させるバイアス部材を備え、
前記バイアス部材は、前記第２のシャフト部が前記伸長位置にあり且つ前記戻り止め部材が前記伸長位置にあって前記第２のシャフト部と係合可能である際に、少なくとも部分的に付勢されるよう構成され、
前記拡張アセンブリは、前記第１及び第２のシャフト部の一方に固定された第１の端部と前記第１及び第２のシャフト部の他方に固定された第２の端部を有する細長い部材をさらに備え、
前記バイアス部材は、前記細長い部材の第２の端部と前記第１及び第２のシャフト部の他方との間に配置される、伸縮式ポールアセンブリ。
【請求項２】
前記細長い部材の第１の端部は前記第１及び第２のシャフト部の一方に不動に固定され、その第２の端部は前記第１及び第２のシャフト部の他方に可動に固定されている、請求項１に記載の伸縮式ポールアセンブリ。
【請求項３】
前記細長い部材の第１の端部は前記第１及び第２のシャフト部の一方に可動に固定され、その第２の端部は前記第１及び第２のシャフト部の他方に可動に固定されている、請求項１に記載の伸縮式ポールアセンブリ。
【請求項４】
前記第２のシャフト部に伸縮式に受け取られる第３のシャフト部であって、
当該第３のシャフト部及び前記第２のシャフト部が前記伸長位置と前記収縮位置の間で移動可能とされるよう構成される第３のシャフト部と、
前記第２のシャフト部に固定された第１の端部と前記第３のシャフト部に固定された第２の端部を有する細長い部材を備えた拡張アセンブリと、
前記第２及び第３のシャフト部を前記収縮位置に移動させるバイアス部材と、
前記戻り止め部材と係合可能なつばアセンブリであって、前記戻り止め部材と前記第２のシャフト部の係合を解除して前記第１及び第２のシャフト部を前記収縮位置に移動させるつばアセンブリとをさらに備え、
前記つばアセンブリは、前記第３のシャフト部を伸長位置に選択的に固定するクランプアセンブリと、
前記戻り止め部材を前記退避位置に移動させるために、前記戻り止め部材の傾斜面に対して摺動可能な内部環状傾斜面を有する基部を備える、請求項１に記載の伸縮式ポールアセンブリ。
【請求項５】
伸縮式ポールアセンブリであって、
第１のシャフト部と、
前記第１のシャフト部に伸縮式に受け取られる第２のシャフト部と、
前記第２のシャフト部を伸長位置に選択的にロックするロック機構と、
前記第１及び第２のシャフト部が前記伸長位置に移動する際に前記第１のシャフト部が前記第２のシャフト部から軸方向の上方に摺動し続けるのを防ぐ拡張アセンブリと、
つばアセンブリとを備え、
前記第２のシャフト部は、前記第１及び第２のシャフト部が伸長位置と収縮位置の間で移動可能とされるよう構成され、
前記ロック機構は、伸長位置と退避位置との間に可動に配置されるとともに前記第２のシャフト部を前記伸長位置に固定するために前記第２のシャフト部と係合可能とされる戻り止め部材を備え、
前記拡張アセンブリは、前記第１及び第２のシャフト部を前記収縮位置に移動させるバイアス部材を備え、
前記バイアス部材は、前記第２のシャフト部が前記伸長位置にあり且つ前記戻り止め部材が前記伸長位置にあって前記第２のシャフト部と係合可能である際に、少なくとも部分的に付勢されるよう構成され、
前記つばアセンブリは、前記戻り止め部材と係合可能とされ、前記第１及び第２のシャフト部が前記収縮位置に移動できるよう前記戻り止め部材を前記退避位置に移動させる、伸縮式ポールアセンブリ。
【請求項６】
前記拡張アセンブリは、前記第１及び第２のシャフト部の一方に固定された第１の端部と前記第１及び第２のシャフト部の他方に固定された第２の端部を有する細長い部材をさらに備え、
前記バイアス部材は、前記細長い部材の第２の端部と前記第１及び第２のシャフト部の他方との間に配置される、請求項５に記載の伸縮式ポールアセンブリ。
【請求項７】
前記細長い部材の第１の端部は前記第１及び第２のシャフト部の一方に不動に固定され、その第２の端部は前記第１及び第２のシャフト部の他方に可動に固定されている、請求項６に記載の伸縮式ポールアセンブリ。
【請求項８】
前記細長い部材の第１の端部は前記第１及び第２のシャフト部の一方に可動に固定され、その第２の端部は前記第１及び第２のシャフト部の他方に可動に固定されている、請求項７に記載の伸縮式ポールアセンブリ。
【請求項９】
伸縮式ポールアセンブリであって、
第１のシャフト部、第２のシャフト部及び解除可能なロックアセンブリを備え、
前記第１のシャフト部の近位側は前記第２のシャフト部の遠位側に配置され、
前記解除可能なロックアセンブリは、前記第１のシャフト部内にバイアス部材を備えるとともに細長い部材を備え、
前記バイアス部材の近位側は前記第１のシャフト部の近位側のキーによって停止され、
前記細長い部材の遠位側は前記バイアス部材の遠位側に固定され、前記細長い部材の近位側は前記第２のシャフト部に固定される、伸縮式ポールアセンブリ。
【請求項１０】
前記バイアス部材がばねである、請求項９に記載の伸縮式ポールアセンブリ。
【請求項１１】
前記伸縮式ポールアセンブリが伸長した状態において前記ばねが圧縮される、請求項９に記載の伸縮式ポールアセンブリ。
【請求項１２】
前記伸縮式ポールアセンブリが収縮した状態において、前記ばねの圧縮が解放されるか、又は伸長した状態よりも弱く圧縮される、請求項１０に記載の伸縮式ポールアセンブリ。
【請求項１３】
前記解除可能なロックアセンブリが、前記第１のシャフト部の近位側にロックアセンブリシャフトをさらに備え、前記ロックアセンブリシャフトは前記バイアス部材の存在する空洞を備える、請求項９に記載の伸縮式ポールアセンブリ。
【請求項１４】
前記ロックアセンブリシャフトは、横方向外側に移動して前記第２のシャフト部と係合する戻り止めをさらに備える、請求項１３に記載の伸縮式ポールアセンブリ。
【請求項１５】
前記伸縮式ポールアセンブリが伸長した状態において、前記戻り止めが前記ロックアセンブリシャフトから外側に突出し、前記第２のシャフト部の前記遠位側の端部が前記戻り止めに支えられる、請求項１４に記載の伸縮式ポールアセンブリ。
【請求項１６】
前記細長い部材の近位側と前期第２のシャフト部を接続する非弾性のコードをさらに備える、請求項９に記載の伸縮式ポールアセンブリ。
【請求項１７】
前記細長い部材の近位側と接続する止め板をさらに備え、前記第２のシャフト部は遠位側に挟径部を備え、前記止め板の外径が前記挟径部の内径よりも大きい、請求項９に記載の伸縮式ポールアセンブリ。
【請求項１８】
前記第１のシャフト部の外径が前記挟径部の内径よりも小さい、請求項１７に記載の伸縮式ポールアセンブリ。
【請求項１９】
前記伸縮式ポールアセンブリの一端にバスケットを備え、前記収縮式ポールアセンブリの他端にグリップを備える、請求項９に記載の伸縮式ポールアセンブリ。
【請求項２０】
第３のシャフト部をさらに備え、前記第２のシャフト部の近位側は前記第３のシャフト部の遠位側に配置され、
第２の解除可能なロックアセンブリは、前記第２のシャフト部に第２のバイアス部材を備えるとともに第２の細長い部材を備え、
前記バイアス部材の近位側は前記第２のシャフト部の近位側の第２のキーによって停止され、
前記第２の細長い部材の遠位側は前記第２のバイアス部材の遠位側に固定され、前記第２の細長い部材の近位側は前記第３のシャフト部に固定される、請求項９に記載の伸縮式ポールアセンブリ。